(57)【要約】【課題】非接触充電方式による充電状態を維持したまま、文字認識を可能とする。【解決手段】自装置が動くことができず、かつアウトカメラ部（２１）によって撮影された画像に文字が含まれていない場合、撮影するカメラをアウトカメラ部（２１）からインカメラ部（２２）に切替えるカメラ切替え部（２４）と、インカメラ部（２２）によって撮影された画像に含まれる文字を認識する文字認識部（３１）と、を備えている。【選択図】図１
2014052901.tif 000002
【特許請求の範囲】
【請求項１】
複数のカメラを備え、該複数のカメラのいずれかで撮影した画像に含まれる文字を認識する文字認識装置において、
自装置が動くことが可能な否かを判定する動き可否判定手段と、
上記複数のカメラのいずれかによって撮影された画像に文字が含まれているか否かを判定する文字判定手段と、
上記文字判定手段が、撮影された画像に文字が含まれていると判定した場合、該含まれている文字を認識する文字認識手段と、
上記動き可否判定手段が、自装置が動くことができないと判定し、かつ、上記文字判定手段が、上記複数のカメラのうちの１つである第１カメラによって撮影された画像に文字が含まれていないと判定した場合、撮影するカメラを上記第１カメラとは異なる第２カメラに切替えるカメラ切替え手段と、を備え、
上記カメラ切替え手段が、撮影するカメラを上記第１カメラから上記第２カメラに切替えたとき、上記文字判定手段は該第２カメラによって撮影された画像に文字が含まれているか否かを判定し、文字が含まれている場合、上記文字認識手段は、上記第２カメラによって撮影された画像に含まれる文字を認識することを特徴とする文字認識装置。
【請求項２】
非接触電力伝送によって充電される電池部と、
上記電池部が充電中であるか否かを判定する充電中判定手段と、を備え、
上記動き可否判定手段は、上記充電中判定手段が充電中であると判定したとき、自装置は動かすことができないと判定することを特徴とする請求項１に記載の文字認識装置。
【請求項３】
上記充電中判定手段が、充電が完了したと判定したとき、上記動き可否判定手段は、自装置は動かすことができると判定することを特徴とする請求項２に記載の文字認識装置。
【請求項４】
上記文字判定手段は、上記第２カメラで撮影した画像に文字が含まれるか否か判定するものであり、
上記文字判定手段が、上記第２カメラで撮影した画像に文字が含まれないと判定したとき、認識する文字をユーザから手動で受け付ける手動入力手段を備えていることを特徴とする請求項１または２に記載の文字認識装置。
【請求項５】
上記第１カメラと上記第２カメラとは、それぞれの撮影方向が１８０度反対側となる位置に設けられていることを特徴とする請求項１〜４のいずれか１項に記載の文字認識装置。
【請求項６】
請求項１〜５のいずれか１項に記載の文字認識装置を動作させる文字認識装置制御プログラムであって、コンピュータを上記の各手段として機能させるための文字認識装置制御プログラム。
【請求項７】
請求項６に記載の文字認識装置制御プログラムを記録したコンピュータ読み取り可能な記録媒体。
【請求項８】
複数のカメラを備え、該複数のカメラのいずれかで撮影した画像に含まれる文字を認識する文字認識装置の制御方法であって、
自装置を動かすことが可能な否かを判定する動き可否判定ステップと、
上記複数のカメラのうちの１つである第１カメラによって撮影された画像に文字が含まれているか否かを判定する文字判定ステップと、
上記動き可否判定ステップで、自装置を動かすことができないと判定し、かつ、上記文字判定ステップで、上記第１カメラによって撮影された画像に文字が含まれてないと判定した場合、撮影するカメラを上記第１カメラとは異なる第２カメラに切替えるカメラ切替えステップと、
上記カメラ切替えステップで撮影するカメラを上記第１カメラから上記第２カメラに切替えたとき、該第２カメラによって撮影された画像に文字が含まれるか否かを判定し、文字が含まれている場合、上記第２カメラによって撮影された画像に含まれる文字を認識する文字認識ステップと、を含むことを特徴とする文字認識装置の制御方法。
【発明の詳細な説明】
【技術分野】
【０００１】
本発明は、撮影した画像から文字認識が可能な文字認識装置、文字認識装置の制御方法、文字認識装置制御プログラムおよび該プログラムを記録したコンピュータ読み取り可能な記録媒体に関するものである。
【背景技術】
【０００２】
近年、携帯型の情報端末が急速に普及している。また、情報端末の中には、カメラを備え、撮影した画像に含まれている文字を認識可能なものも存在する。このような情報端末を使用するためには、充電することが必要となるが、充電する度に情報端末と充電器とを電気的に接続しなければならないのでは、煩わしい。
【０００３】
そこで、情報端末の充電器として、金属の接点を持たずに非接触で充電を行う非接触充電方式（非接触電力伝送による充電）が注目されている。非接触充電方式としては、電磁誘導方式と電界結合方式とが主に利用されている。電磁誘導方式とは、充電器に設けられた一次コイルと被充電機器である情報端末に設けられた二次コイルとを磁気的に結合し、電磁誘導により一次コイル側から二次コイル側に非接触で電力を伝送して、充電を行う方式である。
【０００４】
また、電界結合方式とは、送電側である充電器と受電側である情報端末とのそれぞれに電極を設け、両電極が近接したときに発生する「電界」を利用して電力を伝送する方式である。
【０００５】
また、充電中の機器における制御について、特許文献１に記載された技術がある。特許文献１には、充電中に信号を受信したときには、振動出力の設定の有無にかかわらず、振動を出力しないワイヤレス受信器が記載されている。
【０００６】
これにより、充電中に信号を受信して受信器が振動することにより不快音が立つことを防止したり、振動で受信器が充電用アダプターから外れたり、受信器が落下して破損してしまったりすることを防止している。
【先行技術文献】
【特許文献】
【０００７】
【特許文献１】特開２００１−１９７６４号公報（２００１年７月１９日公開）
【発明の概要】
【発明が解決しようとする課題】
【０００８】
上述したように、カメラ付きの携帯型情報端末において、撮影した画像に含まれる文字を認識する技術がある。しかしながら、上記非接触充電方式による充電時には、携帯情報端末のカメラ部分を充電器側にして載置していることが多く、充電した状態を維持したまま、文字認識を行いたい対象を撮影し文字認識を行うということができない。
【０００９】
また、上記特許文献１に記載された技術は、充電中に振動出力をオフとするものであり、充電中の画像の撮影、文字認識については言及されていない。
【００１０】
本発明は、上記の問題点に鑑みてなされたものであり、その目的は、非接触充電方式による充電状態を維持したまま、文字認識を可能とする文字認識装置等を実現することにある。
【課題を解決するための手段】
【００１１】
上記課題を解決するために、本発明に係る文字認識装置は、複数のカメラを備え、該複数のカメラのいずれかで撮影した画像に含まれる文字を認識する文字認識装置において、自装置が動くことが可能な否かを判定する動き可否判定手段と、上記複数のカメラのうちの１つである第１カメラによって撮影された画像に文字が含まれるか否かを判定する文字判定手段と、上記文字判定手段が、上記第１カメラによって撮影された画像に文字が含まれている判定した場合、該含まれている文字を認識する文字認識手段と、上記動き可否判定手段が、自装置が動くことができないと判定し、かつ、上記文字判定手段が、上記第１カメラによって撮影された画像に文字が含まれてないと判定した場合、撮影するカメラを上記第１カメラとは異なる第２カメラに切替えるカメラ切替え手段と、を備え、上記文字認識手段は、上記カメラ切替え手段が、撮影するカメラを上記第１カメラから上記第２カメラに切替えたとき、該第２カメラによって撮影された画像に含まれる文字を認識することを特徴としている。
【００１２】
また、本発明に係る文字認識装置の制御方法は、複数のカメラを備え、該複数のカメラのいずれかで撮影した画像に含まれる文字を認識する文字認識装置の制御方法であって、自装置を動かすことが可能な否かを判定する動き可否判定ステップと、上記複数のカメラのうちの１つである第１カメラによって撮影された画像に文字が含まれるか否かを判定する文字判定ステップと、上記動き可否判定ステップで、自装置を動かすことができないと判定し、かつ、上記文字判定ステップで、上記第１カメラによって撮影された画像に文字が含まれてないと判定した場合、撮影するカメラを上記第１カメラとは異なる第２カメラに切替えるカメラ切替えステップと、上記カメラ切替えステップで、撮影するカメラを上記第１カメラから上記第２カメラに切替えたとき、該第２カメラによって撮影された画像に含まれる文字を認識する文字認識ステップと、を含むことを特徴としている。
【発明の効果】
【００１３】
本発明の一態様によれば、自装置が動くことができない状態で、かつ第１カメラによって撮影した画像から文字認識できない場合であっても、第２カメラによって撮影された画像により文字認識を行うことができるという効果を奏する。
【００１４】
例えば、非接触充電によって充電状態にあり、装置が動くことができない状態で、かつ第１カメラによって撮影することができない状態であっても、第２カメラによって撮影、文字認識を実行することができるという効果を奏する。よって、非接触充電方式による充電状態を維持したまま、文字認識を可能とすることができるという効果を奏する。
【図面の簡単な説明】
【００１５】
【図１】本発明の実施の形態を示すものであり、携帯情報端末の要部構成を示すブロック図である。
【図２】上記携帯情報端末の外観を示す図であり、（ａ）は携帯情報端末を表示入力部側から見た図であり、（ｂ）は携帯情報端末を表示入力部とは反対側から見た図であり、（ｃ）は携帯情報端末が非接触充電器に載置されている状態を示す図である。
【図３】上記携帯情報端末における文字認識処理の流れを示すフローチャートである。
【図４】上記携帯情報端末において、文字認識処理を行うときの画面例を示す図である。
【図５】上記携帯情報端末を充電中に、撮影するカメラを切替えたときの画面例を示す図であり、（ａ）はアウトカメラ部２１で撮影中に文字を認識できない状態を示す図であり、（ｂ）はアウトカメラ部２１からインカメラ部２２に撮影するカメラを切替えたときの画面例を示す図であり、（ｃ）はインカメラ部２２に切替えた後、文字を認識できない場合の画面例を示す図である。
【図６】上記携帯情報端末において、手動で文字入力を受け付けるときの画面例を示す図である。
【発明を実施するための形態】
【００１６】
〔概要〕
本発明の実施の一形態について図１〜図６に基づいて説明すれば、以下のとおりである。本実施の形態に係る携帯情報端末１は、アウトカメラ部２１およびインカメラ部２２を備え、カメラで撮影した画像に含まれる文字を認識するものである。そして、携帯情報端末１は、非接触電力伝送により充電（以降、非接触充電とも呼ぶ）可能な機器であり、非接触充電中で、アウトカメラ部２１による撮影が困難な場合に、自動でインカメラ部２２による撮影に切替えて画像を撮影し、文字を認識するものである。
【００１７】
携帯情報端末１の外観について、図２に示す。図２（ａ）は、携帯情報端末１を表示入力部１１側から見た図である。図２（ａ）に示すように、携帯情報端末１には、表示入力部１１と同じ側の面にインカメラ部２２が備えられている。図２（ｂ）は、携帯情報端末１を表示入力部１１とは反対側から見た図である。図２（ｂ）に示すように、携帯情報端末１の表示入力部１１とは反対側の面にアウトカメラ部２１が備えられている。このように、アウトカメラ部２１が表示入力部１１とは反対側の面に備えられていることにより、アウトカメラ部２１による撮影を行うときに、撮影対象を表示入力部１１に表示させることができる。
【００１８】
図２（ｃ）は、携帯情報端末１が非接触充電器２に載置されている状態を示す。図２（ｃ）に示すように、携帯情報端末１が充電中の場合、アウトカメラ部２１による撮影は困難である。このような場合に、本実施の形態では、撮影可能なカメラをアウトカメラ部２１からインカメラ部２２に切替えて、撮影を可能にし、撮影した画像に含まれる文字を認識する。これにより、本実施の形態に係る携帯情報端末１によれば、非接触充電中であっても、撮影した画像から文字認識を行うことができる。
【００１９】
なお、本発明は、複数のカメラを備え、文字認識処理が可能な電子機器全般に適用可能であり、例えば、携帯電話機、携帯型のパーソナルコンピュータ、ハンディーターミナルなどのような携帯型の電子機器に好適である。
【００２０】
〔携帯情報端末１の構成〕
次に、携帯情報端末１の要部構成について、図１を参照して説明する。図１は、携帯情報端末１の要部構成を示すブロック図である。図１に示すように、携帯情報端末１は、制御部１０、表示入力部１１、カメラ部１２、非接触充電回路１３、充電池１４、記憶部１５、音声入出力部１６、操作部１７、および電源回路１８を含む構成である。
【００２１】
表示入力部１１は、情報の表示が可能なディスプレイと、そのディスプレイと一体となったタッチパネルにより構成されている。これにより、情報の表示と表示入力部１１に対する接触による入力が可能となる。ディスプレイは、例えばＬＣＤ（Liquid Crystal Display）、ＥＬ（Electro Luminescence）等で構成することができる。
【００２２】
カメラ部１２は、アウトカメラ部２１およびインカメラ部２２を含み、それぞれ内部に例えばレンズ群、絞り、撮像素子などを備えたデジタルカメラを搭載している。撮像素子の例としては、ＣＣＤ（charge coupled device）、およびＣＭＯＳ（Complementary Metal-oxide Semiconductor）イメージセンサが挙げられる。カメラ部１２は、撮影を行って撮影画像を取得し、撮影画像のデータに変換して表示・文字認識制御部２３に送信する。
【００２３】
また、アウトカメラ部２１およびインカメラ部２２は、お互いに撮影方向が１８０度反対方向となる位置に備えられている（図２（ａ）、（ｂ）参照）。
【００２４】
非接触充電回路１３は、非接触充電器２から非接触電力伝送により電力が伝送される回路である。そして、伝送された電力を充電池１４に供給することにより充電池１４を充電する。充電池１４は、携帯情報端末１を動作させるための電力を供給する電池である。
【００２５】
記憶部１５は、文字認識部３１（後述する）が文字認識処理を行うために用いる文字認識処理データ２７、携帯情報端末１を動作させるための各種プログラム、様々なアプリケーションプログラム等を格納している記憶部である。
【００２６】
音声入出力部１６は、音声の入力および出力を行うものであり、例えば、スピーカおよびマイクで構成されている。
【００２７】
操作部１７は、携帯情報端末１に対する操作を受け付けるものであり、例えば、電源ボタン等である。
【００２８】
電源回路１８は、充電池１４から供給された電力により携帯情報端末１を動作させるための回路である。
【００２９】
制御部１０は、携帯情報端末１における各種処理を実行するものであり、表示・文字認識制御部２３、カメラ切替え部２４、充電検出部２５、および電池電圧検出部２６を含む構成である。
【００３０】
表示・文字認識制御部２３は、カメラ部１２により撮影された画像に文字が含まれているか否かを判定するとともに、文字が含まれている場合、含まれている文字のうち指定された範囲の文字を認識する文字認識処理を行うものである。また、表示・文字認識制御部２３は、カメラ部１２により撮影された画像等を表示入力部１１に表示させる。表示・文字認識制御部２３には、文字認識部３１および文字認識切替え部３２が含まれている。
【００３１】
文字認識部３１は、文字認識処理データ２７を用いてカメラ部１２によって撮影された画像に含まれる文字の認識処理を行うものである。文字認識処理は、例えばＯＣＲ（Optical Character Recognition）等の公知の技術を用いて可能であるので、その説明は省略する。
【００３２】
文字認識切替え部３２は、文字認識処理をカメラ部１２を用いて撮影した画像に含まれる文字から、ユーザによって手書き入力された文字に切替えるものである。
【００３３】
カメラ切替え部２４は、表示・文字認識制御部２３が、アウトカメラ部２１によって撮影された画像に文字が含まれていないと判定したときに、撮影するカメラをアウトカメラ部２１からインカメラ部２２に切替えるものである。
【００３４】
充電検出部２５は、非接触充電回路１３が非接触充電器２から電力伝送を受けているか否か検出することにより、携帯情報端末１が非接触充電中であることを検出する。
【００３５】
電池電圧検出部２６は、充電池１４の充電状態（充電度合、充電完了）を検出する。また、電池電圧検出部２６は、検出した充電池１４の充電状態から、充電池１４が満充電となるまでに必要な残り時間の算出や、検出した充電度合で可能な動作時間を算出し、表示入力部１１に表示させる。
【００３６】
〔携帯情報端末１における文字認識処理の流れ〕
非接触充電による充電中に、携帯情報端末１で文字認識処理を行う処理の流れについて、図３〜６を参照して説明する。図３は、携帯情報端末１において文字認識処理を行うときの処理の流れを示すフローチャートである。
【００３７】
まず、携帯情報端末１において、文字認識アプリケーションなどが起動することにより文字認識モードが開始する（Ｓ１）。文字認識モードが開始すると、表示・文字認識制御部２３は、充電検出部２５において非接触充電中であることを検出しているか否かにより、携帯情報端末１が非接触充電中であるか否かを判定する（Ｓ２）。携帯情報端末１が非接触充電中ではなければ（Ｓ２でＮＯ）、表示・文字認識制御部２３は、アウトカメラ部２１を有効にして（Ｓ３）、アウトカメラ部２１によって撮影された撮影画像において文字認識を行う範囲の選択を受け付けて（Ｓ４）、選択された範囲について文字認識処理を行い（Ｓ５）、文字認識処理が終了すると文字認識モードを終了し（Ｓ６）、アウトカメラ部２１を無効にして（Ｓ７）、ステップＳ１に戻る。
【００３８】
なお、ステップＳ２における充電中か否かを判定する処理は、単に充電中か否かではなく、充電度合が所定値を超えているか否かを判定するものであってもよい。すなわち、充電度合が所定値以下の場合は、充電中と判定し、充電度合が所定値を超えている場合は、充電中でないと判定する。
【００３９】
例えば、所定値を充電度合が５０％とすると、電池電圧検出部２６が検出した充電池１４の充電度合が５０％を超えている場合は、充電中でないと判定した処理に進み、５０％以下の場合は、充電中であると判定した処理に進む。
【００４０】
これにより、充電度合が１００％となっていない場合でも、必要な処理を可能とすることができ、電池の残容量に応じて、適切な制御を行うことが可能となる。
【００４１】
アウトカメラ部２１によって撮影され、表示入力部１１に表示されている撮影画像から文字認識を行う範囲を選択する例について、図４を参照して説明する。図４は、表示入力部１１に撮影画像が表示されている状態を示している。この状態で、文字認識を行いたい範囲を受け付けることにより、受け付けた範囲の文字認識処理を行う。図４では、括弧書きで選択された範囲を示している。なお、範囲の指定は、表示入力部１１をタッチ操作することに行われてもよいし、十字キーなどにより括弧の位置を操作することにより行われてもよい。
【００４２】
一方、ステップＳ２で、非接触充電中であると判定した場合（Ｓ２でＹＥＳ）、表示・文字認識制御部２３はアウトカメラ部２１を有効にして（Ｓ１０）、アウトカメラ部２１によって撮影された画像（撮影画像）について文字認識を行い（Ｓ１１）、撮影画像に文字が含まれているか否かを判定する（Ｓ１２）。そして、撮影画像に文字が含まれている場合（Ｓ１２でＹＥＳ）、ステップＳ４に進む。また、撮影画像に文字が含まれていない場合（Ｓ１２でＮＯ）、撮影画像に文字が含まれていないことを表示入力部１１で表示し（Ｓ１３）、カメラ切替え部２４は、撮影するカメラをアウトカメラ部２１からインカメラ部２２に切替える（Ｓ１４）。ステップＳ１３の撮影画像に文字が含まれていないときの表示画面例について図５（ａ）に示す。図５（ａ）に示すように、撮影画像に文字が含まれていない場合は、表示入力部１１に“文字が認識されません”というような表示がされる。また、ステップＳ１４で撮影するカメラを切替えると、図５（ｂ）に示すように、撮影するカメラを切替えたことを示す表示を行う。
【００４３】
撮影するカメラをインカメラ部２２に切替え、所定時間が経過した後（Ｓ１５でＹＥＳ）、表示・文字認識制御部２３は、インカメラ部２２によって撮影された画像（撮影画像）について文字認識を行い（Ｓ１６）、撮影画像に文字が含まれているか否かを判定する（Ｓ１７）。
【００４４】
そして、撮影画像に文字が含まれていれば（Ｓ１７でＹＥＳ）、インカメラ部２２によって撮影された撮影画像において文字認識を行う範囲の選択を受け付けて（Ｓ１８）、選択された範囲について文字認識処理を行い（Ｓ１９）、文字認識処理が終了すると文字認識モードを終了し（Ｓ２０）、インカメラ部２２を無効にして（Ｓ２１）、ステップＳ１に戻る。
【００４５】
また、ステップＳ１７で、撮影画像に文字が含まれていないと判定した場合（Ｓ１７でＮＯ）、表示・文字認識制御部２３は表示入力部１１に、撮影画像に文字が含まれていないことを表示させる（Ｓ３０）。このときの表示画面例について図５（ｃ）に示す。図５（ｃ）に示すように、撮影画像に文字が含まれていない場合は、“文字が認識されません”というような表示がされる。
【００４６】
そして、文字認識切替え部３２は、撮影画像から文字認識を行うモードから、手書き入力された文字を認識するモード（手書き入力モード）に切替える（Ｓ３１）。手書き入力モードにおける画面表示例を図６に示す。図６に示すように、手書き入力モードでは、手書き入力領域６１が表示され、手書き入力領域６１に記載された文字に対し、文字認識部３１は文字認識処理を行う。
【００４７】
手書き入力モードへの切替え後、表示・文字認識制御部２３はインカメラ部２２を無効にし（Ｓ３２）、文字認識部３１は手書き入力領域６１に手書き入力されたことを検知すると（Ｓ３３でＹＥＳ）、手書き入力された文字を表示入力部１１に表示し（Ｓ３４）、入力された文字が確定すると（Ｓ３５でＹＥＳ）、入力された文字を文字認識する（Ｓ３６）。そして文字認識モードを終了する（Ｓ３７）。
【００４８】
〔まとめ〕
以上のように、本発明に係る文字認識装置は、複数のカメラを備え、該複数のカメラのいずれかで撮影した画像に含まれる文字を認識する文字認識装置において、自装置が動くことが可能な否かを判定する動き可否判定手段と、上記複数のカメラのいずれかによって撮影された画像に文字が含まれているか否かを判定する文字判定手段と、上記文字判定手段が、撮影された画像に文字が含まれていると判定した場合、該含まれている文字を認識する文字認識手段と、上記動き可否判定手段が、自装置が動くことができないと判定し、かつ、上記文字判定手段が、上記複数のカメラのうちの１つである第１カメラによって撮影された画像に文字が含まれていないと判定した場合、撮影するカメラを上記第１カメラとは異なる第２カメラに切替えるカメラ切替え手段と、を備え、上記カメラ切替え手段が、撮影するカメラを上記第１カメラから上記第２カメラに切替えたとき、上記文字判定手段は該第２カメラによって撮影された画像に文字が含まれているか否かを判定し、文字が含まれている場合、上記文字認識手段は、上記第２カメラによって撮影された画像に含まれる文字を認識することを特徴としている。
【００４９】
また、本発明に係る文字認識装置の制御方法は、複数のカメラを備え、該複数のカメラのいずれかで撮影した画像に含まれる文字を認識する文字認識装置の制御方法であって、自装置を動かすことが可能な否かを判定する動き可否判定ステップと、上記複数のカメラのうちの１つである第１カメラによって撮影された画像に文字が含まれているか否かを判定する文字判定ステップと、上記動き可否判定ステップで、自装置を動かすことができないと判定し、かつ、上記文字判定ステップで、上記第１カメラによって撮影された画像に文字が含まれてないと判定した場合、撮影するカメラを上記第１カメラとは異なる第２カメラに切替えるカメラ切替えステップと、上記カメラ切替えステップで撮影するカメラを上記第１カメラから上記第２カメラに切替えたとき、該第２カメラによって撮影された画像に文字が含まれるか否かを判定し、文字が含まれている場合、上記第２カメラによって撮影された画像に含まれる文字を認識する文字認識ステップと、を含むことを特徴としている。
【００５０】
上記の構成または方法によれば、第１カメラによって撮影された画像に文字が含まれている場合、当該文字を認識するとともに、第１カメラによって撮影された画像に文字が含まれておらず、かつ自装置が動くことができない場合、撮影するカメラを第１カメラから第２カメラに切替えるとともに、第２カメラによって撮影された画像に含まれる文字を認識する。
【００５１】
これにより、自装置が動くことができない状態で、かつ第１カメラによって撮影した画像から文字認識できない場合であっても、第２カメラによって撮影された画像により文字認識を行うことができる。
【００５２】
例えば、非接触充電によって充電状態にあり、装置が動くことができない状態で、かつ第１カメラによって撮影することができない状態であっても、第２カメラによって撮影、文字認識を実行することができる。よって、非接触充電方式による充電状態を維持したまま、文字認識を可能とすることができる。
【００５３】
本発明に係る文字認識装置では、非接触電力伝送によって充電される電池部と、上記電池部が充電中であるか否かを判定する充電中判定手段と、を備え、上記動き可否判定手段は、上記充電中判定手段が充電中であると判定したとき、自装置は動かすことができないと判定するものであってもよい。
【００５４】
上記の構成によれば、非接触電力伝送によって充電される場合に、非接触電力伝送によって充電中の場合、自端末が動くことができないと判定する。これにより、自端末が動くことができない場合を明確に判定することができる。
【００５５】
本発明に係る文字認識装置では、上記充電中判定手段が、充電が完了したと判定したとき、上記動き可否判定手段は、自装置は動かすことができると判定するものであってもよい。
【００５６】
上記の構成によれば、充電完了後は、自端末が動くことが可能と判定するので、充電完了後も第２カメラを使用し続けるということを防止することができる。
【００５７】
本発明に係る文字認識装置では、上記文字判定手段は、上記第２カメラで撮影した画像に文字が含まれるか否か判定するものであり、上記文字判定手段が、上記第２カメラで撮影した画像に文字が含まれないと判定したとき、認識する文字をユーザから手動で受け付ける手動入力手段を備えているものであってもよい。
【００５８】
上記の構成によれば、第２カメラによって撮影された画像からも文字認識ができない場合、ユーザから手動で文字入力を受け付ける。これにより、画像から文字認識ができない場合であっても、文字入力を行うことができる。
【００５９】
本発明に係る文字認識装置では、上記第１カメラと上記第２カメラとは、それぞれの撮影方向が１８０度反対側となる位置に設けられているものであってもよい。
【００６０】
上記の構成によれば、第１カメラと第２カメラとが、撮影方向が１８０度反対側となる位置に設けられる。例えば、非接触充電中で、第１カメラによる撮影画像に文字が含まれていない場合、第１カメラは充電台に面している可能性が高い。本構成では、第２カメラが第１カメラとは撮影方向が１８０度反対方向となる位置に設けられているので、このような場合に、確実に第２カメラで画像を撮影することができる。
【００６１】
なお、上記文字認識装置は、コンピュータによって実現してもよく、この場合には、コンピュータを上記各手段として動作させることにより上記文字認識装置をコンピュータにて実現させる文字認識装置の制御プログラム、およびそれを記録したコンピュータ読み取り可能な記録媒体も、本発明の範疇に入る。
【００６２】
〔ソフトウェアによる構成〕
最後に、携帯情報端末１の各ブロック、特に制御部１０（表示・文字認識制御部２３、カメラ切替え部２４、充電検出部２５、電池電圧検出部２６、文字認識部３１、文字認識切替え部３２）は、集積回路（ＩＣチップ）上に形成された論理回路によってハードウェア的に実現していてもよいし、ＣＰＵ（central processing unit）を用いてソフトウェア的に実現してもよい。
【００６３】
後者の場合、携帯情報端末１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯情報端末１の制御プログラムのプログラムコード（実行形式プログラム、中間コードプログラム、ソースプログラム）をコンピュータで読み取り可能に記録した記録媒体を、上記携帯情報端末１に供給し、そのコンピュータ（またはＣＰＵやＭＰＵ（micro processing unit））が記録媒体に記録されているプログラムコードを読み出し実行することによっても、達成可能である。
【００６４】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（登録商標）（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【００６５】
また、携帯情報端末１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６６】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６７】
複数のカメラを備えた機器において、自機器を動かすことができず、かつ、いずれかのカメラを用いることができない状態であっても、有効なカメラを用いることにより、撮影画像を用いた処理を行うことができるので、複数のカメラを備えた機器に好適である。
【符号の説明】
【００６８】
１    携帯情報端末（文字認識装置）
２    非接触充電器
１０    制御部
１１    表示入力部
１２    カメラ部
１３    非接触充電回路
１４    充電池（電池部）
１５    記憶部
１６    音声入出力部
１７    操作部
１８    電源回路
２１    アウトカメラ部（第１カメラ）
２２    インカメラ部（第２カメラ）
２３    表示・文字認識制御部（動き可否判定手段、充電中判定手段）
２４    カメラ切替え部（カメラ切替え手段）
２５    充電検出部
２６    電池電圧検出部
２７    文字認識処理データ
３１    文字認識部（文字判定手段、文字認識手段）
３２    文字認識切替え部
【図１】
2014052901.tif 000003
【図２】
2014052901.tif 000004
【図３】
2014052901.tif 000005
【図４】
2014052901.tif 000006
【図５】
2014052901.tif 000007
【図６】
2014052901.tif 000008